(57)【特許請求の範囲】
【請求項１】
ベースコントロールボックスに対して、開閉コントロールボックスがヒンジを介して開閉可能に結合され、多層構造とされている開閉式コントロールボックスにおいて、
前記開閉コントロールボックスに、前記ベースコントロールボックスの上パネルに係止めされ、該開閉コントロールボックスの開放時の反ヒンジ側の垂下りおよび閉まりを止めるストッパ部材が格納自在または着脱自在に設けられていることを特徴とする開閉式コントロールボックス。
【請求項２】
前記ストッパ部材は、開閉コントロールボックスに対して、前記ベースコントロールボックスの上パネルに係止めされる位置と、不使用時の格納位置との間を回動自在に設置されていることを特徴とする請求項１に記載の開閉式コントロールボックス。
【請求項３】
前記ストッパ部材は、前記ベースコントロールボックスの上パネルの上面に係止めされて前記開閉コントロールボックスの垂下りを止める垂下り防止部と、前記上パネルの端縁に係止めされて前記開閉コントロールボックスの閉まりを止める閉まり防止部と、前記開閉コントロールボックスに取付けられる取付け部とを備えていることを特徴とする請求項１または２に記載の開閉式コントロールボックス。
【請求項４】
前記ストッパ部材は、板金製の折り曲げ一体成形品とされていることを特徴とする請求項３に記載の開閉式コントロールボックス。
【請求項５】
前記ストッパ部材は、前記閉まり防止部と前記取付け部とが一体化されたブロック部に対し、前記垂下り防止部が一体的に設けられた一体成形品とされていることを特徴とする請求項３に記載の開閉式コントロールボックス。
【請求項６】
請求項１ないし５のいずれかに記載された開閉式コントロールボックスが他の室外側機器と共に筐体内に設置されていることを特徴とする空気調和機用室外機。
【発明の詳細な説明】
【技術分野】
【０００１】
本発明は、ヒンジを介して開閉可能に結合されている多層構造の開閉式コントロールボックスとそれを備えた空気調和機用室外機に関するものである。
【背景技術】
【０００２】
空気調和機の室外機では、設置性を向上するとともに、運搬時や搬入時の制約を緩和するため、一層のコンパクト化が求められている。一方、室外機に内蔵されるコントロールボックスは、空気調和機の多機能化や電子制御化、圧縮機のインバータ化等に伴い、ますます複雑化、大型化する傾向にある。しかし、室外機をコンパクト化するには、コントロールボックスの小型化が不可避となっている。そこで、コントロールボックスを多層構造化することによってコンパクト化を図っている。
【０００３】
コントロールボックスを多層構造化すると、奥側に配設されているコントロールボックスに設けられている基板や部品をメンテナンスしなければならなくなったとき、手前側のコントロールボックスを取外さなければならず、メンテナンスがし難くなるという問題が生ずる。このため、多層化されているコントロールボックスや基板、支持プレート、制御機器等の収容部を、ヒンジを介して開閉可能に結合し、メンテナンスを容易化したものが特許文献１ないし３等により提示されている。
【先行技術文献】
【特許文献】
【０００４】
【特許文献１】特開平１１−１５５２０８号公報
【特許文献２】特開２００４−１３５３７３号公報
【特許文献３】特開２００９−２９６７９９号公報
【発明の概要】
【発明が解決しようとする課題】
【０００５】
しかしながら、多層構造化したコントロールボックスを、上記の如くヒンジを介して開閉可能に結合した場合、以下のような課題があった。
（１）ヒンジにコントロールボックスの荷重がかかり、開放したときに反ヒンジ側が垂下ってくる。この現象は、コントロールボックスの重さが重くなる程顕著となり、酷くなると、コントロールボックスをスムーズに開閉できなくなる。
（２）押え等が設けられていないため、開放したコントロールボックスを開きっ放しにしておくと閉まってくることがあり、メンテナンス作業に支障をきたすことがある。
【０００６】
これに対して、現地で実際にメンテナンスする際には、まず適当な機材を準備し、それによって開放したコントロールボックスの反ヒンジ側を支持してから、作業を始めるようにしているのが実態であり、メンテナンス性の低下は避けられないのみならず、サービスマンに余計な負担をかけていた。
【０００７】
本発明は、このような事情に鑑みてなされたものであって、開閉されるコントロールボックスの垂下りや作業中の閉まりを防止し、開閉コントロールボックスの円滑な開閉性維持とメンテナンス性の向上を図ることができる開閉式コントロールボックスとそれを備えた空気調和機用室外機を提供することを目的とする。
【課題を解決するための手段】
【０００８】
上記した課題を解決するために、本発明の開閉式コントロールボックスとそれを備えた空気調和機用室外機は、以下の手段を採用する。
すなわち、本発明にかかる開閉式コントロールボックスは、ベースコントロールボックスに対して、開閉コントロールボックスがヒンジを介して開閉可能に結合され、多層構造とされている開閉式コントロールボックスにおいて、前記開閉コントロールボックスに、前記ベースコントロールボックスの上パネルに係止めされ、該開閉コントロールボックスの開放時の反ヒンジ側の垂下りおよび閉まりを止めるストッパ部材が格納自在または着脱自在に設けられていることを特徴とする。
【０００９】
本発明によれば、多層構造とされている開閉式のコントロールボックスにおいて、開閉コントロールボックスに、ベースコントロールボックスの上パネルに係止めされ、該開閉コントロールボックスの開放時の反ヒンジ側の垂下りおよび閉まりを止めるストッパ部材が格納自在または着脱自在に設けられているため、開閉式コントロールボックスを多層構造とすることによってコントロールボックス自体をコンパクト化し、その設置スペースを縮小することができるとともに、メンテナンス時に開閉コントロールボックスを開放したとき、ストッパ部材をベースコントロールボックスの上パネルに係止めすることにより、開閉コントロールボックスの重さによる反ヒンジ側の垂下りや作業中における閉まりを防止することができる。従って、コントロールボックスを搭載した機器をコンパクト化できるだけでなく、開閉コントロールボックスのヒンジによるスムーズな開閉性の維持とメンテナンス時の作業性の向上を図ることができる。
【００１０】
さらに、本発明の開閉式コントロールボックスは、上記の開閉式コントロールボックスにおいて、前記ストッパ部材は、開閉コントロールボックスに対して、前記ベースコントロールボックスの上パネルに係止めされる位置と、不使用時の格納位置との間を回動自在に設置されていることを特徴とする。
【００１１】
本発明によれば、ストッパ部材が、開閉コントロールボックスに対して、ベースコントロールボックスの上パネルに係止めされる位置と、不使用時の格納位置との間を回動自在に設置されているため、メンテナンス時には、開閉コントロールボックスを開放し、格納位置からストッパ部材を回動してベースコントロールボックスの上パネルに係止めすることにより、開閉コントロールボックスの重さによる垂下りや作業中における閉まりを防止することができ、メンテナンス終了時には、ストッパ部材を上パネルへの係止め位置から格納位置へと回動することによって、開閉コントロールボックスを閉じることができる。従って、ストッパ部材の回動操作のみで、簡便に開閉コントロールボックスの垂下りや閉まりを防止することができ、作業者が現場で適当な機材を準備して係る防止策を採る必要がなく、メンテナンス性を向上することができる。
【００１２】
さらに、本発明の開閉式コントロールボックスは、上述のいずれかの開閉式コントロールボックスにおいて、前記ストッパ部材は、前記ベースコントロールボックスの上パネルの上面に係止めされて前記開閉コントロールボックスの垂下りを止める垂下り防止部と、前記上パネルの端縁に係止めされて前記開閉コントロールボックスの閉まりを止める閉まり防止部と、前記開閉コントロールボックスに取付けられる取付け部とを備えていることを特徴とする。
【００１３】
本発明によれば、ストッパ部材が、ベースコントロールボックスの上パネルの上面に係止めされて開閉コントロールボックスの垂下りを止める垂下り防止部と、上パネルの端縁に係止めされて開閉コントロールボックスの閉まりを止める閉まり防止部と、開閉コントロールボックスに取付けられる取付け部とを備えているため、ストッパ部材をその取付け部を介して開閉コントロールボックスに取付け、垂下り防止部をベースコントロールボックスの上パネルの上面に係止めするとともに、閉まり防止部を上パネルの端縁に係止めすることにより、開閉コントロールボックスの垂下りおよび閉まりを止めることができる。従って、垂下り防止部および閉まり防止部を備えた単一のストッパ部材を設けるだけの簡易な構成により、開閉コントロールボックスの垂下りや閉まりを防止し、メンテナンス性を向上することができる。
【００１４】
さらに、本発明の開閉式コントロールボックスは、上記の開閉式コントロールボックスにおいて、前記ストッパ部材は、板金製の折り曲げ一体成形品とされていることを特徴とする。
【００１５】
本発明によれば、ストッパ部材が、板金製の折り曲げ一体成形品とされているため、板金材を折り曲げ成形することにより、垂下り防止部と、閉まり防止部と、取付け部とを備えた単一のストッパ部材を一体成形することができる。従って、ストッパ部材を板金により簡単にかつ安価に製造することができ、これを用いて開閉式コントロールボックスのメンテナンス性を向上することができる。
【００１６】
さらに、本発明の開閉式コントロールボックスは、上記の開閉式コントロールボックスにおいて、前記ストッパ部材は、前記閉まり防止部と前記取付け部とが一体化されたブロック部に対し、前記垂下り防止部が一体的に設けられた一体成形品とされていることを特徴とする。
【００１７】
本発明によれば、ストッパ部材が、閉まり防止部と取付け部とが一体化されたブロック部に対し、垂下り防止部が一体的に設けられた一体成形品とされているため、板金材の折り曲げ成形以外によっても、垂下り防止部と、閉まり防止部と、取付け部とを備えた単一のストッパ部材を一体成形することができる。従って、ストッパ部材を板金以外によっても簡単にかつ安価に製造することができ、これを用いて開閉式コントロールボックスのメンテナンス性を向上することができる。
【００１８】
さらに、本発明にかかる空気調和機用室外機は、上述のいずれかの開閉式コントロールボックスが他の室外側機器と共に筐体内に設置されていることを特徴とする。
【００１９】
本発明によれば、上述のいずれかの開閉式コントロールボックスが他の室外側機器と共に室外機の筐体内に設置されているため、故障時における室外機のメンテナンス性を向上させ、メンテナンスの容易化を図ることができることに加え、電子制御化や多機能化等に伴い複雑化、大型化する傾向にあるコントロールボックスのコンパクト化を維持し、筐体内の占有スペースを最小化して空気調和機用室外機のコンパクト化を図ることができる。
【発明の効果】
【００２０】
本発明の開閉式コントロールボックスによると、開閉式コントロールボックスを多層構造とすることによってコントロールボックス自体をコンパクト化し、その設置スペースを縮小することができるとともに、メンテナンス時に開閉コントロールボックスを開放したとき、ストッパ部材をベースコントロールボックスの上パネルに係止めすることにより、開閉コントロールボックスの重さによる反ヒンジ側の垂下りや作業中における閉まりを防止することができるため、コントロールボックスを搭載した機器をコンパクト化できるだけでなく、開閉コントロールボックスのヒンジによるスムーズな開閉性の維持とメンテナンス時の作業性の向上を図ることができる。
【００２１】
本発明の空気調和機用室外機によると、故障時における室外機のメンテナンス性を向上させ、メンテナンスの容易化を図ることができることに加え、電子制御化や多機能化等に伴い複雑化、大型化する傾向にあるコントロールボックスのコンパクト化を維持し、筐体内の占有スペースを最小化して空気調和機用室外機のコンパクト化を図ることができる。
【図面の簡単な説明】
【００２２】
【図１】本発明の第１実施形態に係る開閉式コントロールボックスを搭載した空気調和機用室外機の部分正面図である。
【図２】図１に示す開閉式コントロールボックスを搭載した空気調和機用室外機の平面図である。
【図３】図１に示す開閉式コントロールボックスを斜視図である。
【図４】図１に示す開閉式コントロールボックスの第１層および第２層の開閉コントロールボックスを開放した状態の平面図である。
【図５】図４に示す開閉式コントロールボックスの右側面側からの斜視図である。
【図６】図４に示す開閉式コントロールボックスの左側面側からの斜視図である。
【図７】本発明の第２実施形態に係る開閉式コントロールボックスに適用するストッパ部材の斜視図（Ａ），（Ｂ）である。
【発明を実施するための形態】
【００２３】
以下に、本発明にかかる実施形態について、図面を参照して説明する。
［第１実施形態］
以下、本発明の第１実施形態について、図１ないし図６を用いて説明する。
図１には、本発明の第１実施形態に係る開閉式コントロールボックスを搭載した空気調和機用室外機の部分正面図が示され、図２には、その平面図、図３には、開閉式コントロールボックスの斜視図が示されている。空気調和機用室外機１は、ベースプレート３やサイドパネル４等から構成される筐体２を備えている。筐体２内には、圧縮機５の他、図示省略された各種室外側機器が収容設置されるとともに、空気調和機を制御するための開閉式コントロールボックス６が収容設置されている。なお、図１は、筐体２において、開閉式コントロールボックス６の前面を覆うサービスパネルが取外された状態が示されている。
【００２４】
開閉式コントロールボックス６は、手前側から開閉可能とされる第１層開閉コントロールボックス１０および第２層開閉コントロールボックス２０と、固定設置される第３層ベースコントロールボックス３０の３層構造に積層されたものであり、筐体２のベースプレート３およびサイドパネル４に複数の固定ビス７を介して固定設置されている。本実施形態では、開閉式コントロールボックス６は、サイドパネル４とベースプレート３に設置されている圧縮機５との間の設置スペースに、僅かの隙間をあけて設置されている（図１および図２参照）。
【００２５】
開閉式コントロールボックス６は、第３層ベースコントロールボックス３０に対し、一体化された第１層および第２層開閉コントロールボックス１０，２０が、ヒンジ４１を介して開閉可能に結合された多層構造のコントロールボックスとされている。これらの第１層および第２層開閉コントロールボックス１０，２０と、第３層ベースコントロールボックス３０とは、図３に示されるように、一体的に積層され、結合された状態の開閉式コントロールボックス６として、筐体２内に固定設置されている。
【００２６】
第１層開閉コントロールボックス１０は、制御用基板１１等を備えたものであり、該制御用基板１１が左右一対の左パネル１２および右パネル１３間に複数のビス１４（図１参照）により固定されている。第１層コントロールボックス１０の奥側に設けられている第２層開閉コントロールボックス２０は、基板２１上にノイズフィルタや各種リレー２２等が設置されたものであり、基板２１は、左パネル１２および右パネル１３と下パネル１５との間に固定されている。
【００２７】
第１層開閉コントロールボックス１０と第２層開閉コントロールボックス２０は、上記の通り左右一対の左パネル１２および右パネル１３と下パネル１５とを介して一体にセット化された構成とされており、手前側の上半部分に第１層開閉コントロールボックス１０の制御用基板１１が露出されている。また、奥側に設けられている第２層開閉コントロールボックス２０の基板２１上に設置されているノイズフィルタや各種リレー２２等の主要部品は、制御用基板１１の下方の下半部分において、手前側に露出されるように設置された構成とされている。
【００２８】
また、第３層ベースコントロールボックス３０は、インバータ用基板３１やパワーモジュール等を備えたものであり、これらが左右および上下パネル３２，３３，３４，３５からなるボックス内に固定設置された構成とされている。この第３層ベースコントロールボックス３０は、第１層および第２層開閉コントロールボックス１０，２０よりも上下方向寸法が若干大きく、下方に延長された構成とされている。なお、第３層ベースコントロールボックス３０の上パネル３４は、手前側に延長され、一体にセット化された第１層および第２層コ開閉ントロールボックス１０，２０の上部を覆う大きさとされている。
【００２９】
一体化されている第１層および第２層開閉コントロールボックス１０，２０は、第３層ベースコントロールボックス３０の右パネル３３側に固定されているブラケット４０に対して、複数のヒンジ４１を介して該ヒンジ４１の回転軸周りに、図４ないし図６に示されるように、約９０°の範囲で開閉可能に結合されている。これは、メンテナンス時に第３層ベースコントロールボックス３０の内部を露出させるためであり、通常は、一体にセット化された第１層および第２層開閉コントロールボックス１０，２０の他側を、第３層ベースコントロールボックス３０に対して上下複数箇所でビス４２で結合している。
【００３０】
上記ヒンジ４１は、一体にセット化された第１層および第２層開閉コントロールボックス１０，２０の厚さ方向寸法（奥行き方向寸法）、すなわち右パネル１３の幅寸法の略中間位置において、一体化された第１層および第２層開閉コントロールボックス１０，２０をブラケット４０に結合している。これは、ヒンジ４１の回転軸をセット化された第１層および第２層開閉コントロールボックス１０，２０の奥行き方向寸法の１／２の位置に設けることで、セット化された第１層および第２層開閉コントロールボックス１０，２０の開閉に必要な周辺スペースを最小にするためである。
【００３１】
このように、セット化された第１層および第２層開閉コントロールボックス１０，２０を他の機器（ここでは、圧縮機５およびサイドパネル４）と干渉することなく開閉するためには、その周囲に開閉用のスペースを確保する必要があり、このスペースが開閉式コントロールボックス６の設置スペースの大小を決め、室外機２のコンパクト化に直接影響を及ぼすことになる。ヒンジ４１の回転軸を上記の如く第１層および第２層開閉コントロールボックス１０，２０の厚さ方向寸法の１／２位置に設けることにより、その回転軸を厚さ方向の前端あるいは後端に設けた場合に比較して、手前側、左右両側等のスペースを小さくすることができる。
【００３２】
さらに、開閉式コントロールボックス６では、開閉可能とされている第１層および第２層開閉コントロールボックス１０，２０の重量が重くなると、開放したときに反ヒンジ側が垂下ったり、ストッパを設けていないことから、メンテナンス中に閉まってきたりする等の課題がある。そこで、第１層および第２層開閉コントロールボックス１０，２０側の適所、具体的には、第２層開閉コントロールボックス２０の背面の上方部位に、第３層ベースコントロールボックス３０の上パネル３４に係止めされ、第１層および第２層開閉コントロールボックス１０，２０の垂下りおよび閉まりを止めるストッパ部材５０を格納自在または着脱自在に設けた構成としている。
【００３３】
このストッパ部材５０は、図６に示されるように、第３層ベースコントロールボックス３０の上パネル３４の上面に係止めされて第１層および第２層開閉コントロールボックス１０，２０の垂下りを止める垂下り防止部５１と、上パネル３４の端縁に係止めされて第１層および第２層開閉コントロールボックス１０，２０の閉まりを止める閉まり防止部５２と、第２層開閉コントロールボックス２０の上方部位に取付けられる取付け部５３とを備えている。
【００３４】
ストッパ部材５０は、ネジ５４により、第２層開閉コントロールボックス２０の背面の上方部位に回動自在に設置されており、図４ないし図６に示されるように、第３層ベースコントロールボックス３０の上パネル３４に係止めされる位置と、第２層開閉コントロールボックス２０の背面側に位置するように格納される不使用時の格納位置との間を回動自在とされている。なお、このストッパ部材５０は、上記のように格納位置に回動して格納する代わりに、必要な都度、ネジ５４により着脱するようにしてもよい。
【００３５】
また、上記のストッパ部材５０は、板金材を用い、それを垂下り防止部５１、閉まり防止部５２および取付け部５３を有するように折り曲げ成形して構成した板金製の折り曲げ一体成形品とされている。
【００３６】
以上に説明の構成により、本実施形態によれば、以下の作用効果を奏する。
上記の空気調和機用室外機１および開閉式コントロールボックス６において、故障等の発生によりメンテナンスするには、まず筐体２におけるサービスパネル（図示省略）を取り外す。これによって、開閉式コントロールボックス６が、図１に示されるように露出される。この状態で、第１層開閉コントロールボックス１０の制御用基板１１は、その上半部分に露出され、第２層開閉コントロールボックス２０の基板２１上に設けられているノイズフィルタや各種リレー２２等の主要部品は、制御用基板１１の下方の奥側においてその下半部分に露出される。
【００３７】
従って、セット化されている第１層および第２層開閉コントロールボックス１０，２０については、上記の状態で手前側からアクセスすることによってメンテナンスすることができる。なお、必要に応じて、第１層および第２層開閉コントロールボックス１０，２０を以下に述べるように９０°開いた状態とし、表裏両面側からアクセスしてメンテナンスすることも可能である。
【００３８】
一方、一番奥側の第３層ベースコントロールボックス３０は、手前側に第１層および第２層開閉コントロールボックス１０，２０が積層されているため、直接アクセスすることはできない。第３層ベースコントロールボックス３０をメンテナンスする場合は、第１層および第２層開閉コントロールボックス１０，２０を、第３層ベースコントロールボックス３０と結合しているビス４２を外した後、ヒンジ４１の回転軸回り回転させる。これにより、第１層および第２層開閉コントロールボックス１０，２０は、図４ないし図６に示されるように、他部品あるいは機器に干渉されることなく、約９０°開かれる。
【００３９】
第１層および第２層開閉コントロールボックス１０，２０を約９０°開いた状態を正面側から見た斜視図が図６に示されている。これによって、第３層ベースコントロールボックス３０に設けられているインバータ用基板３１やパワーモジュール等が正面側に露出されるため、この状態で手前側からアクセスして第３層ベースコントロールボックス３０のメンテナンスを行うことができる。このため、第１層および第２層開閉コントロールボックス１０，２０をいちいち取り外すことなく、第３層ベースコントロールボックス３０をメンテナンスすることができる。
【００４０】
また、上記のように、第１層および第２層開閉コントロールボックス１０，２０を手前側に開放し、第３層ベースコントロールボックス３０もしくは第１層および第２層開閉コントロールボックス１０，２０をメンテナンスする際、第１層および第２層開閉コントロールボックス１０，２０が重さにより垂下ったり、閉ったりしないように、第２層開閉コントロールボックス２０の背面に設けられているストッパ部材５０を上方に回動し、図６に示されるように、垂下り防止部５１を第３層ベースコントロールボックス３０の上パネル３４の上面に引っ掛けて係止めした状態とする。
【００４１】
これによって、ストッパ部材５０の閉まり防止部５２が、上パネル３４の端縁に係止めされた状態となり、第１層および第２層開閉コントロールボックス１０，２０の重さによる反ヒンジ側の垂下りや作業中における閉まりを防止することができる。従って、開閉式コントロールボックス６を搭載した空気調和機用室外機１をコンパクト化することができるだけでなく、第１層および第２層開閉コントロールボックス１０，２０のヒンジ４１によるスムーズな開閉性の維持とメンテナンス時の作業性の向上を図ることができる。
【００４２】
また、メンテナンス時には、第１層および第２層開閉コントロールボックス１０，２０を開放し、格納位置からストッパ部材５０を回動して第３層ベースコントロールボックス３０の上パネル３４に係止めすることにより、第１層および第２層開閉コントロールボックス１０，２０の重さによる垂下りや作業中における閉まりを防止することができ、メンテナンス終了時には、ストッパ部材５０を上パネル３４への係止め位置から格納位置へと回動することによって、第１層および第２層開閉コントロールボックス１０，２０を閉じることができる。このため、ストッパ部材５０の回動操作のみで、簡便に第１層および第２層開閉コントロールボックス１０，２０の垂下りや閉まりを防止することができ、作業者が現場で適当な機材を準備して係る防止策を採る必要がなく、メンテナンス性を向上することができる。
【００４３】
また、ストッパ部材５０は、垂下り防止部５１と、閉まり防止部５２と、取付け部５３とを備えた単一のストッパ部材５０により構成されており、かかるストッパ部材５０を設けただけの簡易な構成により、第１層および第２層開閉コントロールボックス１０，２０の垂下りや閉まりを防止し、メンテナンス性を向上することができる。しかも、ストッパ部材５０は、板金製の折り曲げ一体成形品とされているため、板金材を折り曲げ成形することにより、単一のストッパ部材５０を一体成形することができ、従って、ストッパ部材５０を板金により簡単にかつ安価に製造することができる。
【００４４】
さらに、本実施形態の空気調和機用室外機１によれば、上記開閉式コントロールボックス６が他の室外側機器と共に室外機１の筐体２内に設置されているため、故障時における室外機１のメンテナンス性を向上させ、メンテナンスの容易化を図ることができることに加え、電子制御化や多機能化等に伴い複雑化、大型化する傾向にあるコントロールボックスのコンパクト化を維持し、筐体２内の占有スペースを最小化して空気調和機用室外機１のコンパクト化を図ることができる。
【００４５】
［第２実施形態］
次に、本発明の第２実施形態について、図７（Ａ），（Ｂ）を用いて説明する。
本実施形態は、上記した第１実施形態に対して、ストッパ部材６０，７０の構成が異なっている。その他の点については、第１実施形態と同様であるので説明は省略する。
本実施形態のストッパ部材６０は、図７（Ａ）に示されるように、上記のストッパ部材５０と同様、板金製とされているが、その折り曲げ構成が異なっている。つまり、ストッパ部材６０は、第３層ベースコントロールボックス３０の上パネル３４の上面に係止めされる垂下り防止部６１に対し、上パネル３４の端縁に係止めされる閉まり防止部６２が直角に屈曲され、この閉まり防止部６２に対して、直角に屈曲された連結部６４を介して直交方向に取付け部６３が折り曲げ成形された構成とされ、ネジを介して第２層開閉コントロールボックス２０の背面の上方部位に回動自在に設置されるようになっている。
【００４６】
また、ストッパ部材７０は、図７（Ｂ）に示されるように、第３層ベースコントロールボックス３０の上パネル３４の上面に係止めされる垂下り防止部７１に対して、直角な面からなる閉まり防止部７２と、該閉まり防止部７２の面に対して直交する面からなる取付け部７３とを備えたブロック部７４が一体に設けられた構成とされ、該ブロック部７４が孔７５およびネジを介して第２層開閉コントロールボックス２０の背面の上方部位に回動自在に設置されるようになっている。
【００４７】
上記のように、板金製のストッパ部材は、ストッパ部材５０およびストッパ部材６０に限らず、種々の形態に容易に折り曲げ成形することができる。従って、第１層および第２層開閉コントロールボックス１０，２０並びに第３層ベースコントロールボックス３０の構成に合せた最適な形状のストッパ部材５０，６０等を板金により簡単にかつ安価に製造することができ、これを用いて開閉式コントロールボックス６のメンテナンス性を向上することができる。
【００４８】
また、ストッパ部材としては、図７（Ｂ）に示されるように、板金材の折り曲げ成形以外によっても、垂下り防止部７１と、閉まり防止部７２と、取付け部７３とを備えた単一のストッパ部材７０を一体成形することができる。従って、ストッパ部材７０を板金以外によっても簡単にかつ安価に製造することができ、これを用いることによって開閉式コントロールボックス６のメンテナンス性を向上することができる。
【００４９】
なお、本発明は、上記実施形態にかかる発明に限定されるものではなく、その要旨を逸脱しない範囲において、適宜変形が可能である。例えば、上記実施形態では、３層構造の開閉式コントロールボックス６について説明したが、２層または４層以上の多層構造の開閉式コントロールボックスにも同様に適用できることはもちろんである。また、どの層のコントロールボックスを開閉可能とするかは、各コントロールボックスに設けられている基板や部品の配置構成等により適宜選択すればよい。従って、本発明は、上記実施形態の如く、第１層開閉コントロールボックス１０と第２層開閉コントロールボックス２０とを一体にセット化したものに限定されるものではない。
【００５０】
さらに、ストッパ部材５０，６０，７０についても、開閉コントロールボックスの垂下りおよび閉まりを止められるものであれば、一体成形品に限られるものではなく、複数に分割されていてもよく、また、板金等の金属製に限らず、樹脂材による成形品であってもよいことはもちろんである。また、本発明の開閉式コントロールボックス６は、空気調和機用室外機１に限らず、他の機器の開閉式コントロールボックス６にも適用できることは云うまでもない。
【符号の説明】
【００５１】
１  空気調和機用室外機
２  筐体
５  圧縮機
６  開閉式コントロールボックス
１０  第１層開閉コントロールボックス
２０  第２層開閉コントロールボックス
３０  第３層ベースコントロールボックス
４１  ヒンジ
５０，６０，７０  ストッパ部材
５１，６１，７１  垂下り防止部
５２，６２，７２  閉まり防止部
５３，６３，７３  取付け部
７４  ブロック部
【図１】
0005675304.tif 000002
【図２】
0005675304.tif 000003
【図３】
0005675304.tif 000004
【図４】
0005675304.tif 000005
【図５】
0005675304.tif 000006
【図６】
0005675304.tif 000007
【図７】
0005675304.tif 000008